【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
伝送端末間の通信における宛先の名称を示す宛先名称情報を、一つの宛先に対して複数管理する宛先名称情報管理部と、
前記宛先と通信可能な伝送端末から、識別情報に基づくログイン要求を受信する受信部と、
前記宛先情報管理部で管理される前記複数の宛先名称情報のうち、前記識別情報と関連付けられた宛先名称情報を、前記宛先と通信可能な伝送端末に送信する送信部と、
を有することを特徴とする管理システム。 
【請求項２】
前記宛先名称情報管理部は、前記識別情報に関連づけて第１の宛先名称情報を管理し、
前記送信部は、前記宛先情報管理部で管理される前記複数の宛先名称情報のうち、前記識別情報と関連付けられた前記第１の宛先名称情報を、前記宛先と通信可能な伝送端末に送信する
ことを特徴とする請求項１に記載の管理システム。 
【請求項３】
前記宛先名称情報管理部は、前記通信の予約を識別するための予約識別情報に関連づけて第２の宛先名称情報を管理し、
前記宛先名称情報抽出部は、所定の予約を識別するための予約識別情報に関連づけられた前記第２の宛先名称情報を前記宛先名称情報管理部から抽出し、
前記送信部は、前記所定の予約を識別するための予約識別情報に関連付けられた前記第２の宛先名称情報を、前記所定の予約に基づく通信を開始する伝送端末に送信する
ことを特徴とする請求項１又は２に記載の管理システム。 
【請求項４】
前記宛先名称情報管理部は、前記識別情報に関連づけて第１の宛先名称情報を管理するとともに、前記通信の予約を識別するための予約識別情報に関連づけて第２の宛先名称情報を管理し、
前記送信部は、前記宛先名称情報管理部において、所定の予約を識別するための予約識別情報に関連づけられた前記第２の宛先名称情報が管理されていない場合に、前記識別情報に関連づけられた前記第１の宛先名称情報を、前記所定の予約に基づく通信を開始する前記宛先と通信可能な伝送端末に送信することを特徴とする請求項１に記載の管理システム。 
【請求項５】
前記宛先名称情報管理部は、前記通信の宛先の名称を示す第３の宛先名称情報を管理し、
前記送信部は、前記第３の宛先名称情報を、前記宛先と通信可能な伝送端末に送信することを特徴とする請求項１乃至４のいずれか一項に記載の管理システム。 
【請求項６】
前記宛先名称情報は、前記伝送端末に基づく情報、又は、前記伝送端末の利用者に基づく情報であることを特徴とする請求項１乃至５のいずれか一項に記載の管理システム。 
【請求項７】
前記伝送端末は第一の伝送端末及び第二の伝送端末を含み、
前記受信部は、前記第一の伝送端末から送信された第一の識別情報に基づくログイン要求又は前記第二の伝送端末から送信された前記第一の識別情報とは異なる第二の識別情報に基づくログイン要求を受信可能であって、
前記送信部は、前記第一の識別情報に基づくログイン要求を受信した場合には、前記複数の宛先名称情報のうち、前記第一の識別情報に関連付けられた宛先名称情報を、前記第一の伝送端末に送信し、前記第二の識別情報に基づくログイン要求を受信した場合には、前記複数の宛先名称情報のうち、前記第二の識別情報に関連付けられた宛先名称情報を、前記第二の伝送端末に送信すること、
を特徴とする請求項１乃至６のいずれか一項に記載の管理システム。
【請求項８】
伝送端末間の通信における宛先の名称を示す宛先名称情報を、一つの宛先に対して複数管理する宛先名称情報管理部を有する管理システムにおいて実行される管理方法であって、
前記宛先と通信可能な伝送端末から、識別情報に基づくログイン要求を受信するステップと、
前記宛先情報管理部で管理される前記複数の宛先名称情報のうち、前記識別情報と関連付けられた宛先名称情報を、前記宛先と通信可能な伝送端末に送信するステップと、
を有することを特徴とする管理方法。
【請求項９】
伝送端末間の通信における宛先の名称を示す宛先名称情報を、一つの宛先に対して複数管理する宛先名称情報管理部を有する管理システムに、
前記宛先と通信可能な伝送端末から、識別情報に基づくログイン要求を受信するステップと、
前記宛先情報管理部で管理される前記複数の宛先名称情報のうち、前記識別情報と関連付けられた宛先名称情報を、前記宛先と通信可能な伝送端末に送信するステップと、
を実行させることを特徴とするプログラム。
【請求項１０】
伝送管理システムと、該伝送管理システムとネットワークを介して接続された伝送端末を有する伝送システムであって、
前記伝送管理システムは、
伝送端末間の通信における宛先の名称を示す宛先名称情報を、一つの宛先に対して複数管理する宛先名称情報管理部と、
前記宛先と通信可能な前記伝送端末から、識別情報に基づくログイン要求を受信する受信部と、
前記宛先情報管理部で管理される前記複数の宛先名称情報のうち、前記識別情報と関連付けられた宛先名称情報を、前記宛先と通信可能な前記伝送端末に送信する送信部と、
を有し、
前記伝送端末は、
前記送信部によって送信された宛先名称情報を表示部に表示させる表示制御部を
有することを特徴とする伝送システム。 
【請求項１１】
前記伝送システムは前記伝送管理システムとネットワークを介して接続された第一の伝送端末及び第二の伝送端末を有し、
前記受信部は、前記第一の伝送端末から送信された第一の識別情報に基づくログイン要求又は前記第二の伝送端末から送信された前記第一の識別情報とは異なる第二の識別情報に基づくログイン要求を受信可能であって、
前記送信部は、前記第一の識別情報に基づくログイン要求を受信した場合には、前記複数の宛先名称情報のうち、前記第一の識別情報に関連付けられた宛先名称情報を、前記第一の伝送端末に送信し、前記第二の識別情報に基づくログイン要求を受信した場合には、前記複数の宛先名称情報のうち、前記第二の識別情報に関連付けられた宛先名称情報を、前記第二の伝送端末に送信すること、
を特徴とする請求項１０に記載の伝送システム。
【請求項１２】
前記宛先名称情報は、前記伝送端末に基づく情報、又は、前記伝送端末の利用者に基づく情報であることを特徴とする請求項１０又は１１に記載の伝送システム。
【請求項１３】
前記伝送システムはテレビ会議システムであって、前記伝送端末はテレビ会議端末であることを特徴とする請求項１０乃至１２のいずれか一項に記載の伝送システム。
【請求項１４】
前記伝送管理システムは1以上のコンピュータによって構築されていることを特徴とする請求項１０乃至１３のいずれか一項に記載の伝送システム。
【請求項１５】
伝送端末間の通信における宛先の名称を示す宛先名称情報を、一つの宛先に対して複数管理する伝送管理システムと、該伝送管理システムとネットワークを介して接続された伝送端末を有する伝送システムにおいて実行される方法であって、
前記宛先と通信可能な前記伝送端末から、識別情報に基づくログイン要求を受信するステップと、
前記伝送管理システムにおいて管理される前記複数の宛先名称情報のうち、前記識別情報と関連付けられた宛先名称情報を、前記宛先と通信可能な前記伝送端末に送信するステップと、
前記伝送端末が前記送信部によって送信された宛先名称情報を表示部に表示させるステップを
有することを特徴とする方法。
【手続補正２】
【補正対象書類名】明細書
【補正対象項目名】発明の名称
【補正方法】変更
【補正の内容】
【発明の名称】管理システム、管理方法、プログラム、伝送システム、及び方法
【手続補正３】
【補正対象書類名】明細書
【補正対象項目名】０００５
【補正方法】変更
【補正の内容】
【０００５】
請求項１に係る発明は、伝送端末間の通信における宛先の名称を示す宛先名称情報を、一つの宛先に対して複数管理する宛先名称情報管理部と、前記宛先と通信可能な伝送端末から、識別情報に基づくログイン要求を受信する受信部と、前記宛先情報管理部で管理される前記複数の宛先名称情報のうち、前記識別情報と関連付けられた宛先名称情報を、前記宛先と通信可能な伝送端末に送信する送信部と、を有することを特徴とする管理システムである。